(57)【特許請求の範囲】
【請求項１】
第１類型ネットワークと、前記第１類型ネットワークと異なる第２類型ネットワークとを支援するユーザ装置の位置に関連する制御情報を更新する方法において、該方法は前記ユーザ装置により行われ、
前記ユーザ装置が前記第１類型ネットワークから前記第２類型ネットワークのセルに入るとき、前記ユーザ装置の位置領域を更新する位置更新手順を開始することを決定するステップと、
前記決定に基づいて、前記位置更新手順を開始するステップと、を有し、
前記ユーザ装置は、前記ユーザ装置内の移動性管理（ＭＭ）バックオフタイマーが駆動し、前記ユーザ装置のＴＩＮが、ＧＵＴＩに設定され、前記第２類型ネットワークの前記セルの位置領域が、前記第１類型ネットワークのセルの位置領域と同じである場合、前記位置更新手順を開始し、
前記ＭＭバックオフタイマーは、ＭＭバックオフ時間値が前記ユーザ装置により受信された時に駆動するタイマーである、方法。
【請求項２】
前記第１類型ネットワークは、ＰＳ領域を調節するＭＭＥ及びＣＳ領域を調節するＶＬＲを備える、請求項１に記載の方法。
【請求項３】
前記第１類型ネットワークは、Ｅ−ＵＴＲＡＮであり、前記第２類型ネットワークは、ＧＥＲＡＮまたはＵＴＲＡＮの１つである、請求項１に記載の方法。
【請求項４】
前記第１類型ネットワークに結合ＴＡＵを行うステップをさらに含む、請求項１に記載の方法。
【請求項５】
ＩＳＲ機能が使用可能であるかどうかを指示するＴＡＵ受諾メッセージを受信するステップをさらに含む、請求項４に記載の方法。
【請求項６】
前記ユーザ装置は、ＣＳフォールバックを使用するように設定される、請求項１に記載の方法。
【請求項７】
第１類型ネットワークと、前記第１類型ネットワークと異なる第２類型ネットワークとを支援するユーザ装置において、
無線信号を送受信するよう構成されたＲＦユニットと、
前記ＲＦユニットに接続されるプロセッサと、を備え、
前記プロセッサは、
前記ユーザ装置が前記第１類型ネットワークから前記第２類型ネットワークのセルに入るとき、前記ユーザ装置の位置領域を更新する位置更新手順を開始することを決定し、
前記決定に基づいて、前記位置更新手順を開始するよう構成され、
前記ユーザ装置は、前記ユーザ装置内の移動性管理（ＭＭ）バックオフタイマーが駆動し、前記ユーザ装置のＴＩＮが、ＧＵＴＩに設定され、前記第２類型ネットワークの前記セルの位置領域が、前記第１類型ネットワークのセルの位置領域と同じである場合、前記位置更新手順を開始し、
前記ＭＭバックオフタイマーは、ＭＭバックオフ時間値が前記ユーザ装置により受信された時に駆動するタイマーである、ユーザ装置。
【請求項８】
前記第１類型ネットワークは、ＰＳ領域を調節するＭＭＥ及びＣＳ領域を調節するＶＬＲを備える、請求項７に記載のユーザ装置。
【請求項９】
前記第１類型ネットワークは、Ｅ−ＵＴＲＡＮであり、前記第２類型ネットワークは、ＧＥＲＡＮまたはＵＴＲＡＮの１つである、請求項７に記載のユーザ装置。
【請求項１０】
前記プロセッサは、前記第１類型ネットワークに結合ＴＡＵを行うようさらに構成される、請求項７に記載のユーザ装置。
【請求項１１】
前記プロセッサは、ＩＳＲ機能が使用可能であるかどうかを指示するＴＡＵ受諾メッセージを受信するようさらに構成される、請求項１０に記載のユーザ装置。
【請求項１２】
前記ユーザ装置は、ＣＳフォールバックを使用するように設定される、請求項１０に記載のユーザ装置。
【発明の詳細な説明】
【技術分野】
【０００１】
本文書は、無線通信システムに関し、さらに具体的には、互いに異なる無線接続ネットワークを含む無線ネットワークにおけるＬＡＵ（ｌｏｃａｔｉｏｎ  ａｒｅａ  ｕｐｄａｔｅ）手順を行い、関連したデータを処理する方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）システムの改善版であって、３ＧＰＰリリース８として紹介されることもある。３ＧＰＰ  ＬＴＥは、ＯＦＤＭＡ（ｏｒｔｈｏｇｏｎａl  ｆｒｅｑｕｅｎｃｙ  ｄｉｖｉｓｉｏｎ  ｍｕｌｔｉｐｌｅ  ａｃｃｅｓｓ）技法をダウンリンク（ｄｏｗｎｌｉｎｋ）のために使用し、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）技法をアップリンクのために使用し、最大４個のアンテナのためのＭＩＭＯ（ｍｕｌｔｉｐｌｅ  ｉｎｐｕｔ  ｍｕｌｔｉｐｌｅ  ｏｕｔｐｕｔ）技法を採用した。最近では、３ＧＰＰ  ＬＴＥの主な改善版である３ＧＰＰ  ＬＴＥ−Ａ（ＬＴＥ−Ａｄｖａｎｃｅｄ）に対する議論が進行している。
【０００３】
３ＧＰＰ  ＬＴＥ技術は、パケット基盤のサービスに関連したＰＳ領域（ｐａｃｋｅｔ  ｓｗｉｔｃｈｅｄ  ｄｏｍａｉｎ；ＰＳ  ｄｏｍａｉｎ）のみを支援するが、３ＧＰＰ規格は、ＣＳ領域（ｃｉｒｃｕｉｔ  ｓｗｉｔｃｈｅｄ  ｄｏｍａｉｎ；ＣＳ−ｄｏｍａｉｎ）に関連した回線基盤のサービスに回帰（ｆａｌｌ−ｂａｃｋ）することも規定している。ＬＴＥ構造において、ＥＰＳ（Ｅｖｏｌｖｅｄ  Ｐａｃｋｅｔ  Ｓｙｓｔｅｍ）でのＣＳ−回帰（以下、ＣＳ−ｆａｌｌｂａｃｋとする）は、伝統的なＣＳ領域サービス及び音声サービスを可能にする。このようなサービスのために、ユーザ装置（ＵＥ）がＬＴＥにより支援される場合、ＣＳ基盤構造（ｉｎｆｒａｓｔｒｕｃｔｕｒｅ）を再び使用することが可能である。
【発明の概要】
【発明が解決しようとする課題】
【０００４】
本文書の技術的特徴は、互いに異なる２個の無線接続ネットワーク（例えば、ＵＴＲＡＮ及びＧＥＲＡＮ／ＵＴＲＡＮ）を含む通信システムにおけるＵＥのＬＡＵ手順を行う方法及び装置を提供することにある。無線通信システムは、ＭＭＥ、ＶＬＲ、ＲＮＣなどの多様な個体が備えられることができる。
【課題を解決するための手段】
【０００５】
一例によれば、前記第１類型ネットワークに結合ＴＡＵ（ｃｏｍｂｉｎｅｄ  ｔｒａｃｋ  ａｒｅａ  ｕｐｄａｔｅ）手順を行うステップと、前記第１類型ネットワークからＰＳ移動性管理（ｍｏｂｉｌｉｔｙ  ｍａｎａｇｅｍｅｎｔ；ＭＭ）バックオフ時間値を受信するステップと、前記受信されたＰＳ移動性管理（ＭＭ）バックオフ時間値を基礎にＰＳ移動性管理（ＭＭ）バックオフを開始するステップと、前記ユーザ装置が前記第１類型ネットワークの第１セルから前記第２類型ネットワークの第２セルに移動する場合、前記ＰＳ移動性管理（ＭＭ）バックオフタイマーが駆動（ｒｕｎｎｉｎｇ）する途中に、前記ＣＳ領域に関連したＬＡＵ（ｌｏｃａｔｉｏｎ  ａｒｅａ  ｕｐｄａｔｅ）手順を始めるステップとを含むものの、前記第１セル及び第２セルは、前記ＣＳ領域に関連する同じＬＡ（ｌｏｃａｔｉｏｎ  ａｒｅａ）に属することを特徴とする方法が提供される。
【０００６】
前記方法は、ＩＳＲ（ｉｄｌｅ  ｍｏｄｅ  ｓｉｇｎａｌｌｉｎｇ  ｒｅｄｕｃｔｉｏｎ）機能が実行中であるかを指示するＴＡＵ受諾メッセージを受信するステップをさらに含む。
【０００７】
前記方法は、前記ＬＡＵ手順を開始する前に、前記第１類型ネットワークから前記第２類型ネットワークにシステム間変更（ｉｎｔｅｒｓｙｓｔｅｍ  ｃｈａｎｇｅ）を行うステップをさらに含む。
【０００８】
前記方法において、前記ユーザ装置（ＵＥ）のＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）は、ＧＵＴＩ（Ｇｌｏｂａｌ  Ｕｎｉｑｕｅ  Ｔｅｍｐｏｒａｒｙ  Ｉｄｅｎｔｉｔｙ）に設定されることができる。
【０００９】
一例によれば、ユーザ装置（ＵＥ）が提案されることができる。前記ユーザ装置は、前記第１類型ネットワークに結合ＴＡＵ（ｃｏｍｂｉｎｅｄ  ｔｒａｃｋ  ａｒｅａ  ｕｐｄａｔｅ）手順を行うステップと、前記第１類型ネットワークからＰＳ移動性管理（ｍｏｂｉｌｉｔｙ  ｍａｎａｇｅｍｅｎｔ；ＭＭ）バックオフ時間値を受信するステップと、前記受信されたＰＳ移動性管理（ＭＭ）バックオフ時間値を基礎にＰＳ移動性管理（ＭＭ）バックオフを開始するステップと、前記ユーザ装置が前記第１類型ネットワークの第１セルから前記第２類型ネットワークの第２セルに移動する場合、前記ＰＳ移動性管理（ＭＭ）バックオフタイマーが駆動（ｒｕｎｎｉｎｇ）中に、前記ＣＳ領域に関連したＬＡＵ（ｌｏｃａｔｉｏｎ  ａｒｅａ  ｕｐｄａｔｅ）手順を始めるように設定されるプロセッサを備えるものの、前記第１セル及び第２セルは、前記ＣＳ領域に関連する同じＬＡ（ｌｏｃａｔｉｏｎ  ａｒｅａ）に属することを特徴とすることができる。
【図面の簡単な説明】
【００１０】
【図１】ＬＴＥシステムに関連したＥＰＳ（Ｅｖｏｌｖｅｄ  Ｐａｃｋｅｔ  Ｓｙｓｔｅｍ）示した図である。
【図２】以下の技術的特徴が適用されるＥ−ＵＴＲＡＮの全体的な構造を示す図である。
【図３】多数のインターフェスを横切るＥＰＳベアラを示す図である。
【図４】ＴＩＮを使用してＩＳＲ活性化を行う過程を示す手順フローチャートである。
【図５】ＣＳフォールバック機能が適用されるネットワーク構造を示すブロック図である。
【図６】本明細書の一例が適用される状況を示す手順フローチャートである。
【図７】本明細書のさらに他の一例が適用される状況を示す手順フローチャートである。
【図８】ＲＲＣ接続解除メッセージに含まれたセル−再選択優先順位情報が適用される手順を示す手順フローチャートである。
【図９】ＣＳコール−バック及びセル−再選択優先順位情報を制御する手順を示す手順フローチャートである。
【図１０】ＣＳフォールバックが行われない場合に、ＬＴＥ機能を非活性化する手順を示す手順フローチャートである。
【図１１】本明細書の技術的特徴が適用された無線装置を示すブロック図である。
【発明を実施するための形態】
【００１１】
以下で説明する技術的特徴は、多様な無線通信システムに使用されることができ、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様なシステムにおいて使用されることができる。ＣＤＭＡは、ＵＴＲＡ（ｕｎｉｖｅｒｓａｌ  ｔｅｒｒｅｓｔｒｉａｌ  ｒａｄｉｏ  ａｃｃｅｓｓ）またはＣＤＭＡ−２０００システム形態の無線技術で具現されることができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（ｅｖｏｌｖｅｄ  ＵＴＲＡ）などの無線技術により具現化されることができる。ＵＴＲＡは、ＭＴＳ（ｕｎｉｖｅｒｓａｌ  ｍｏｂｉｌｅ  ｔｅｌｅｃｏｍｍｕｎｉｃａｔｉｏｎ  ｓｙｓｔｅｍ）の一部である。３ＧＰＰ  ＬＴＥ（３ｒｄ  ｇｅｎｅｒａｔｉｏｎ  ｐａｒｔｎｅｒｓｈｉｐ  ｐｒｏｊｅｃｔ  ｌｏｎｇｔｅｒｍ  ｅｖｏｌｕｔｉｏｎ）は、Ｅ−ＵＴＲＡを使用するＥ−ＵＭＴＳ（ｅｖｏｌｖｅｄ  ＵＭＴＳ）の一部である。３ＧＰＰ  ＬＴＥは、ダウンリンクとしてはＯＦＤＭＡ技法を使用し、アップリンクとしてはＳＣ−ＦＤＭＡ技法を使用する。説明の便宜のために、以下の明細書は、３ＧＰＰ  ＬＴＥまたは３ＧＰＰ  ＬＴＥ−Ａに集中して説明される。しかし、本文書の技術的特徴がこれに制限されるものではない。
【００１２】
図１は、ＬＴＥシステムに関連したＥＰＳ（Ｅｖｏｌｖｅｄ  Ｐａｃｋｅｔ  Ｓｙｓｔｅｍ）を示している。ＬＴＥシステムは、ユーザ端末ＵＥとＰＤＮ（ｐａｃｋ  ｄａｔａ  ｎｅｔｗｏｒｋ）との間に、ユーザが移動中に最終ユーザのアプリケーションプログラムの使用に妨害を与えず、かつ途切れないＩＰ接続性（Ｉｎｔｅｒｎｅｔ  Ｐｒｏｔｏｃｏｌ  ｃｏｎｎｅｃｔｉｖｉｔｙ）を提供することを目標とする。ＬＴＥシステムは、ユーザ端末と基地局との間の無線プロトコル構造（ｒａｄｉｏ  ｐｒｏｔｏｃｏｌ  ａｒｃｈｉｔｅｃｔｕｒｅ）を定義するＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を介した無線接続の進化を完遂し、これは、ＥＰＣ（Ｅｖｏｌｖｅｄ  Ｐａｃｋｅｔ  Ｃｏｒｅ）ネットワークを含むＳＡＥ（Ｓｙｓｔｅｍ  Ａｒｃｈｉｔｅｃｔｕｒｅ  Ｅｖｏｌｕｔｉｏｎ）により非−無線的側面での進化によっても達成される。ＬＴＥとＳＡＥとは、ＥＰＳ（Ｅｖｏｌｖｅｄ  Ｐａｃｋｅｔ  Ｓｙｓｔｅｍ）を含む。
【００１３】
ＥＰＳは、ＰＤＮ内でゲートウェイ（ｇａｔｅｗａｙ）からユーザ端末にＩＰトラフィックをルーチングするために、ＥＰＳベアラ（ＥＰＳ  ｂｅａｒｅｒｓ）という概念を使用する。ベアラ（ｂｅａｒｅｒ）は、ゲートウェイとユーザ端末との間に特定のＱｏＳ（Ｑｕａｌｉｔｙ  ｏｆ  Ｓｅｒｖｉｃｅ）を有するＩＰパケットフロー（ＩＰ  ｐａｃｋｅｔ  ｆｌｏｗ）である。Ｅ−ＵＴＲＡＮとＥＰＣとは、アプリケーションプログラムにより求められるベアラを共に設定または解除（ｒｅｌｅａｓｅ）する。
【００１４】
ＥＰＣは、ＣＮ（ｃｏｒｅ  ｎｅｔｗｏｒｋ）とも呼び、ＵＥを制御し、ベアラの設定を管理する。図１に示すように、ＳＡＥのＥＰＣのノード（論理的あるいは物理的ノード）は、ＭＭＥ（Ｍｏｂｉｌｉｔｙ  Ｍａｎａｇｅｍｅｎｔ  Ｅｎｔｉｔｙ）１０、ＰＤＮ−ＧＷまたはＰ−ＧＷ（ＰＤＮ  ｇａｔｅｗａｙ）３０、Ｓ−ＧＷ（Ｓｅｒｖｉｎｇ  Ｇａｔｅｗａｙ）２０、ＰＣＲＦ（Ｐｏｌｉｃｙ  ａｎｄ  Ｃｈａｒｇｉｎｇ  Ｒｕｌｅｓ  Ｆｕｎｃｔｉｏｎ）４０、ＨＳＳ（Ｈｏｍｅ  ｓｕｂｓｃｒｉｂｅｒ  Ｓｅｒｖｅｒ）５０などを備える。
【００１５】
ＭＭＥ１０は、ＵＥとＣＮとの間のシグナルリングを処理する制御ノードである。ＵＥとＣＮとの間に交換されるプロトコルは、ＮＡＳ（Ｎｏｎ−Ａｃｃｅｓｓ  Ｓｔｒａｔｕｍ）プロトコルとして知られている。ＭＭＥ１０により支援される機能の一例は、ベアラの設定、管理、解除を含んでＮＡＳプロトコル内のセッション管理階層（ｓｅｓｓｉｏｎ  ｍａｎａｇｅｍｅｎｔ  ｌａｙｅｒ）により操作されるベアラ管理（ｂｅａｒｅｒ  ｍａｎａｇｅｍｅｎｔ）に関連した機能、ネットワークとＵＥとの間の接続（ｃｏｎｎｅｃｔｉｏｎ）及びセキュリティー（Ｓｅｃｕｒｉｔｙ）の設立に含んでＮＡＳプロトコル階層で接続階層または移動制御階層（ｍｏｂｉｌｉｔｙ  ｍａｎａｇｅｍｅｎｔ  ｌａｙｅｒ）により操作される。
【００１６】
Ｓ−ＧＷ２０は、ＵＥが基地局（ｅＮｏｄｅＢ）間に移動する際、データベアラのためのローカル移動性アンカー（ｌｏｃａｌ  ｍｏｂｉｌｉｔｙ  ａｎｃｈｏｒ）として機能する。すべてのユーザＩＰパケットは、Ｓ−ＧＷ２０を介して送信される。また、Ｓ−ＧＷ２０は、ＵＥがＥＣＭ−ＩＤＬＥ状態として知られたアイドル状態（ｉｄｌｅ  ｓｔａｔｅ）にあり、ＭＭＥがベアラを再び設定（ｒｅ−ｅｓｔａｂｌｉｓｈ）するためにＵＥのページングを開始する間に、ダウンリンクデータを一時バッファリングする時にベアラに関連した情報を維持する。また、ＧＲＰＳ（Ｇｅｎｅｒａｌ  Ｐａｃｋｅｔ  Ｒａｄｉｏ  Ｓｅｒｖｉｃｅ）、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のような他の３ＧＰＰ技術とのインターワーキング（ｉｎｔｅｒ−ｗｏｒｋｉｎｇ）のための移動性アンカー（ｍｏｂｉｌｉｔｙ  ａｎｃｈｏｒ）として機能する。
【００１７】
Ｐ−ＧＷ３０は、ＵＥのためのＩＰアドレス割り当てを行い、ＱｏＳ執行（Ｑｏｓ  ｅｎｆｏｒｃｅｍｅｎｔ）及びＰＣＲＦ４０からの規則に従って、フロー−基盤の課金（ｆｌｏｗ−ｂａｓｅｄ  ｃｈａｒｇｉｎｇ）を行う。Ｐ−ＧＷ３０は、ＧＢＲベアラ（Ｇｕａｒａｎｔｅｅｄ  Ｂｉｔ  Ｒａｔｅ（ＧＢＲ）ｂｅａｒｅｒｓ）のためのＱｏＳ執行を行う。また、ＣＤＭＡ２０００やＷｉＭＡＸネットワークのような非３ＧＰＰ（ｎｏｎ−３ＧＰＰ）技術とのインターワーキングのための移動性アンカ（ｍｏｂｉｌｉｔｙ  ａｎｃｈｏｒ）の役割も果たす。
【００１８】
ＰＣＲＦ４０は、政策制御意志決定（ｐｏｌｉｃｙ  ｃｏｎｔｒｏｌ  ｄｅｃｉｓｉｏｎ−ｍａｋｉｎｇ）を行い、フロー−基盤の課金（ｆｌｏｗ−ｂａｓｅｄ  ｃｈａｒｇｉｎｇ）を行う。
【００１９】
ＨＳＳ５０は、ＨＬＲ（Ｈｏｍｅ  Ｌｏｃａｔｉｏｎ  Ｒｅｇｉｓｔｅｒ）とも呼び、ＥＰＳ−ｓｕｂｓｃｒｉｂｅｄ  ＱｏＳプロファイル（ｐｒｏｆｉｌｅ）及びローミングのための接続制御に情報などを含むＳＡＥ加入データ（ＳＡＥ  ｓｕｂｓｃｒｉｐｔｉｏｎ  ｄａｔａ）を含む。また、ユーザが接続するＰＤＮに対した情報もやはり含む。このような情報は、ＡＰＮ（Ａｃｃｅｓｓ  Ｐｏｉｎｔ  Ｎａｍｅ）形態で維持されうるが、ＡＰＮは、ＤＮＳ（Ｄｏｍａｉｎ  Ｎａｍｅ  ｓｙｓｔｅｍ）基盤のレーベル（ｌａｂｅｌ）で、ＰＤＮに対したアクセスポイントまたは加入したＩＰアドレスを表すＰＤＮアドレスを説明する識別技法である。
【００２０】
図１に示すように、ＥＰＳネットワーク要素（ＥＰＳ  ｎｅｔｗｏｒｋ  ｅｌｅｍｅｎｔｓ）の間には、Ｓ１−Ｕ、Ｓ１−ＭＭＥ、Ｓ５／Ｓ８、Ｓ１１、Ｓ６ａ、Ｇｘ、Ｒｘ及びＳＧｉのような多様なインターフェスが定義されることができる。
【００２１】
図２は、以下の技術的特徴が適用されるＥ−ＵＴＲＡＮの全体的な構造を示す図である。
【００２２】
Ｅ−ＵＴＲＡＮは、ＵＥ２１０にユーザ平面（ｕｓｅｒ  ｐｌａｎｅ）及び制御平面（ｃｏｎｔｒｏｌ  ｐｌａｎｅ）を提供する少なくとも一つの基地局（ｅｖｏｌｖｅｄ−Ｎｏｄｅ  Ｂ；ｅＮＢ）２００を備える。ＵＥは、固定または移動性がありえ、ＭＳ（Ｍｏｂｉｌｅ  Ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線装備（ｗｉｒｅｌｅｓｓ  ｄｅｖｉｃｅ）などの多様な表現で呼ばれることができる。基地局２００は、ＵＥと通信する固定装備でありえ、ＢＳ（ｂａｓｅ  ｓｔａｔｉｏｎ）、ＮＢ（Ｎｏｄｅ  Ｂ）、ＢＴＳ（Ｂａｓｅ  Ｔｒａｎｓｃｅｉｖｅｒ  Ｓｙｓｔｅｍ）、アクセスポイント（Ａｃｃｅｓｓ  ｐｏｉｎｔ）などの多様な表現で呼ばれることができる。
【００２３】
基地局２００とＵＥ２１０との間には、ＡＳプロトコル（Ａｃｃｅｓｓ  Ｓｔｒａｔｕｍ  ｐｒｏｔｏｃｏｌ）として知られたプロトコルが運営される。
【００２４】
基地局２００は、Ｘ２インターフェスを介して互いに接続される。基地局２００は、また上述したＥＰＣ要素とＳ１インターフェスを介して接続されるが、具体的には、ＭＭＥとはＳ１−ＭＭＥで接続され、Ｓ−ＧＷとはＳ１−Ｕで接続される。
【００２５】
図２に示すＥ−ＵＴＲＮは、ホーム基地局（Ｈｏｍｅ  ｅｖｏｌｖｅｄ  Ｎｏｄｅ  Ｂ；ＨｅＮＢ）２２０及びＨｅＮＢ  ＧＷ（ＨｅＮＢ  ｇａｔｅｗａｙ）２３０を備えることができる。
【００２６】
ＨｅＮＢ２２０は、基本的に一般的な基地局と同一であるが、ユーザ自らが設置することが一般的な単純な装備でありうる。ＨｅＮＢ２２０は、ｈＮＢ（ｈｏｍｅ  ＮＢ（ｈＮＢ）、フェムトセル（Ｆｅｍｔｏ−ｃｅｌｌ）、ホームセルラ基地局（ｈｏｍｅｃ  ｅｌｌｕｌａｒ  ｂａｓｅ  ｓｔａｔｉｏｎ）などと呼ばれることができる。ＨｅＮＢ２２０は、通常のセルラネットワーク無線インターフェスを介して通信するという点と、セルラネットワーク事業者の核心網（ＣＮ）を光通信、ＤＳＬ、ケーブル加入網等を介してインターネット接続のような代替ネットワーク接続を行うという点で、セルラネットワークのように動作する。一般に、ＨｅＮＢ２２０は、無線通信サービス提供者が有する基地局に比べては、低い無線送信出力パワーを有する。それでＨｅＮＢ２２０により提供されるサービスカバレッジは、ｅＮＢ２００により提供されるサービスカバレッジに比べて小さなことが一般的である。このような特徴により、サービスカバレッジの側面から見ると、ＨｅＮＢ２２０により提供されるセルはフェムトセルと呼ばれ、ｅＮＢ２００により提供されるセルは、マクロセルと呼ばれることができる。
【００２７】
以下、ＥＰＳベアラ（ｂｅａｒｅｒ）の概念を説明する。ＥＰＳ（Ｅｖｏｌｖｅｄ  Ｐａｃｋｅｔ  Ｓｙｓｔｅｍ）というＰＤＮ内でゲートウェイからＵＥへＩＰトラフィックをルーチングするために、ＥＰＳベアラの概念を使用する。ＥＰＳベアラは、ゲートウェイとＵＥとの間のＱｏＳ（Ｑｕａｌｉｔｙ  ｏｆ  Ｓｅｒｖｉｃｅ）を基盤としたＩＰパケットフロー（ｐａｃｋｅｔ  ｆｌｏｗ）である。Ｅ−ＵＴＲＡＮとＥＰＣとは、アプリケーションプログラムの要請によってＥＰＳベアラを共に設定または解除できる。
【００２８】
ＥＰＳベアラは、一般にＱｏＳ（Ｑｕａｌｉｔｙ  ｏｆ  Ｓｅｒｖｉｃｅ）と関連する。多数のベアラは、互いに異なるＱｏＳを支援したり互いに異なるＰＤＮに接続するために、ユーザに設定されることができる。例えば、音声通話（例えば、ＶｏＩＰ）に関連したユーザは、同時にＦＴＰ（Ｆｉｌｅ  Ｔｒａｎｓｆｅｒ  Ｐｒｏｔｏｃｏｌ）ダウンロードを行ったり、ウェブブラウジングを行ったりすることができる。この場合、ＶｏＩＰベアラは、音声通話のために必要なＱｏＳを提供し、ウェブブラウジングやＦＴＰセッションのためには、「ｂｅｓｔ−ｅｆｆｏｒｔ」ベアラが割り当てられることができる。
【００２９】
概略的に、ＥＰＳベアラは、提供されるＱｏＳの属性によって２種類のカテゴリーに区分されることができる。このような２種類のカテゴリーは、最小ＧＢＲ（Ｇｕａｒａｎｔｅｅｄ  Ｂｉｔ  Ｒａｔｅ）ベアラとＮｏｎ−ＧＢＲベアラである。ＧＢＲベアラは、ベアラ設定及び変更当時に専用送信資源が永久的に割り当てられる関連ＧＢＲ値を含む。仮に、資源が充分な場合、ＧＢＲ値以上のビットレートも許容されることができる。これに対し、ｎｏｎ−ＧＢＲベアラは、いかなるビットレートも保障できない。このようなベアラのためには、いかなる帯域資源も永久的に割り当てられない。
【００３０】
また、ＥＰＳベアラは、他の方式により分類されることができる。具体的に、ＥＰＳベアラは、デフォルトベアラ（ｄｅｆａｕｌｔ  ｂｅａｒｅｒ）と専用ベアラ（ｄｅｄｉｃａｔｅｄ  ｂｅａｒｅｒ）とに区分されることができる。デフォルトベアラは、新しいＰＤＮ接続が設定される時に初めて設定されるＥＰＳベアラで、ＰＤＮ接続の間に維持し続ける。デフォルトベアラは、すべての新しいＰＤＮ接続と共に生成される。すなわち、「Ｉｎｉｔｉａｌ  Ａｔｔａｃｈ」を介してＰ−ＧＷにＵＥが接続される時、新しいベアラ、すなわちデフォルトベアラが生成され、そのコンテキスト（ｃｏｎｔｅｘｔ）は、ＰＤＮ接続が維持された間に残っているようになる。ＵＥは、一つ以上のＰ−ＧＷにａｔｔａｃｈされることができ、これにより、ＵＥは、少なくとも一つのデフォルトベアラを有することができる。デフォルトベアラは、ｎｏｎ−ＧＢＲベアラでありえ、すべてのＱｏＳ種類の中で最も低いＱｏＳを有する「ｂｅｓｔ  ｅｆｆｏｒｔ  ＱｏＳ」を有することができる。「Ｉｎｉｔｉａｌ  Ａｔｔａｃｈ」過程において生成されないベアラは、専用ベアラ（ｄｅｄｉｃａｔｅｄ  ｂｅａｒｅｒ）に分類されることができる。専用ベアラは、ＵＥでアップリンクパケットフィルタとＰＤＮ  ＧＷでダウンリンクパケットフィルタに関係したＥＰＳベアラであって、フィルタはただ特定パケットのみにマッチングされることができる。
【００３１】
以下、ＥＰＳベアラと下位階層ベアラ、例えば、Ｓ１、Ｓ５／Ｓ８、無線ベアラ及びＥ−ＲＡＢ間の関係を説明する。
【００３２】
図３に示すように、ＥＰＳベアラは、多数のインターフェス（Ｐ−ＧＷからＳ−ＧＷの間にはＳ５／Ｓ８インターフェス、Ｓ−ＧＷからｅＮＢの間にはＳ１インターフェス、基地局とＵＥとの間には、ＬＴＥ−Ｕｕインターフェスとして知られた無線インターフェス）を通過する。各インターフェスを通過するにおいて、ＥＰＳベアラは、下位階層ベアラと、各々のベアラ識別子に基づいてマッピングされる。各ノードは、互いに異なるインターフェスの間でベアラ識別子間の接続関係（ｂｉｎｄｉｎｇ）を記録し維持する。
【００３３】
Ｓ５／Ｓ８ベアラは、Ｐ−ＧＷとＳ−ＧＷとの間のＥＰＳベアラのパケットを送信する。Ｓ−ＧＷは、Ｓ１ベアラとＳ５／Ｓ８ベアラとの間の１対１マッピング関係を格納する。各ベアラは、各インターフェスの両端でＧＴＰ（ＧＰＲＳ  Ｔｕｎｎｅｌｉｎｇ  Ｐｒｏｔｏｃｏｌ）に基づいたＴＥＩＤ（Ｔｕｎｎｅｌ  Ｅｎｄｐｏｉｎｔ  ＩＤ）で識別される。
【００３４】
Ｓ１ベアラは、Ｓ−ＧＷと基地局ｅＮＢとの間にＥＰＳベアラのパケットを送信する。無線ベアラ（無線データベアラとも知られている）は、ＵＥと基地局との間のＥＰＳベアラのパケットを送信する。各ＥＰＳベアラは、各インターフェスの両端でＧＴＰ（ＧＰＲＳ  Ｔｕｎｎｅｌｉｎｇ  Ｐｒｏｔｏｃｏｌ）に基づいたＴＥＩＤ（Ｔｕｎｎｅｌ  ＥｎｄｐｏｉｎｔＩＤ）で識別される。
【００３５】
さらに、Ｅ−ＲＡＢ（Ｅ−ＵＴＲＡＮ  Ｒａｄｉｏ  Ａｃｃｅｓｓ  Ｂｅａｒｅｒ）の概念が使用されることもできる。Ｅ−ＲＡＢは、ＵＥとＥＰＣとの間のＥＰＳベアラのパケットを送信でき、さらに具体的に基地局を介してＳ−ＧＷにパケットを送信できる。Ｅ−ＲＡＢが存在する場合、Ｅ−ＲＡＢとＥＰＳベアラとの間には、１対１のマッピング関係が存在する。
【００３６】
同じＥＰＳベアラにマッピングされたＩＰパケットは、同じベアラ水準パケットフォワード取扱（例えば、スケジューリング政策、キュー（ｑｕｅｕｅ）管理政策、レート調節政策、ＲＬＣ設定）を受ける。相異なるベアラ水準のＱＯＳを提供するためには、各ＱｏＳフローのために別個のＥＰＳベアラを形成しなければならず、ユーザＩＰパケットは、互いに異なるＥＰＳベアラでフィルタリングされなければならない。
【００３７】
以下、ＮＡＳ（Ｎｏｎ−Ａｃｃｅｓｓ  Ｓｔｒａｔｕｍ）状態及びＡＳ（Ａｃｃｅｓｓ  Ｓｔｒａｔｕｍ）状態について説明する。ＵＥは、該当ＵＥがＥＰＣに登録されているかどうかと、活性化またはアイドル状態にあるかどうかとを表す多数のＮＡＳ及びＡＳ状態で定義されることができる。
【００３８】
第１ＮＡＳ状態、すなわちＥＭＭ−ＲＥＧＩＳＴＥＲＥＤ状態及びＥＭＭ−ＤＥＲＥＧＩＳＴＥＲＥＤ状態は、ＵＥ及びＭＭＥ内のＥＰＣ移動性制御（ＥＰＣ  ｍｏｂｉｌｉｔｙ  ｍａｎａｇｅｍｅｎｔ；ＥＭＭ）プロトコルにより管理されるＥＭＭに関連する。ＵＥのＥＭＭ状態は、ＵＥがＥＰＣに登録（ｒｅｇｉｓｔｅｒ）されているかどうかによって決定される。ＥＭＭ−ＲＥＧＩＳＴＥＲＥＤ状態においてＵＥは、サービングＭＭＥとＳ−ＧＷ（ｓｅｒｖｉｎｇ  ｇａｔｅｗａｙ）に登録され、ＩＰアドレスとデフォルトベアラ（ｄｅｆａｕｌｔ  ｂｅａｒｅｒ）とを有する。
【００３９】
第２ＮＡＳ状態、すなわちＥＣＭ−ＩＤＬＥ及びＥＣＭ−ＣＯＮＮＥＣＴＥＤ状態は、ＥＣＭ（ＥＰＳ  ｃｏｎｎｅｃｔｉｏｎ  ｍａｎａｇｅｍｅｎｔ）に関連する。このような状態は、ＥＭＭプロトコルにより管理される。特定の技術標準文書（例えば、３ＧＰＰ  ＴＳ  ２３．４０１）において、ＥＣＭ−ＩＤＬＥ状態は、ＥＭＭ−ＩＤＬＥ状態とも呼ばれ、ＥＣＭ−ＣＯＮＮＥＣＴＥＤ状態は、ＥＭＭ−ＣＯＮＮＥＣＴＥＤ状態とも呼ばれる。ＵＥのＥＣＭ状態は、ＮＡＳプロトコルの観点において、ＵＥが活性化（ａｃｔｉｖｅ）状態なのか待機（ｓｔａｎｄｂｙ）状態なのかによって決定される。ＥＣＭ−ＣＯＮＮＥＣＴＥＤ状態においてＵＥは活性化される。この状態では、すべてのデータベアラとシグナルリング無線ベアラ（ｓｉｇｎａｌｌｉｎｇ  ｒａｄｉｏ  ｂｅａｒｅｒｓ）とが稼動中である。待機（ｓｔａｎｄｂｙ）状態において、移動端末は、ＥＣＬ−ＩＤＬＥ状態でありうる。この状態では、すべてのベアラが稼動中である必要がない。したがって、ネットワークは、ＵＥがＥＣＭ−ＩＤＬＥ状態に進入する伴って、ＵＥのＳ１ベアラと無線ベアラ（ｒａｄｉｏ  ｂｅａｒｅｒ）とを解除する。しかしながら、ＥＰＳベアラとＳ５／Ｓ８ベアラとは、依然として稼動中でありうる。アイドルモードにおいてＭＭＥは、アイドルモードのＵＥが正確にどこにあるか知らない。その代わりに、ＭＭＥは、ＵＥが位置したトラッキング領域（ｔｒａｃｋｉｎｇ  ａｒｅａ；ＴＡ）に対してのみ知っている。トラッキング領域ＴＡについての具体的内容は、以下で説明される。
【００４０】
ＡＳ状態は、ＲＲＣ（ｒａｄｉｏ  ｒｅｓｏｕｒｃｅ  ｃｏｎｔｒｏｌ）に関連する。このようなＡＳ状態は、ＵＥ及びサービング基地局のＲＲＣプロトコルにより管理される。ＵＥのＲＲＣ状態は、ＡＳプロトコルの観点において、ＵＥが活性化状態なのかアイドル（ｉｄｌｅ）状態なのかによって決定される。活性化されたＵＥは、ＲＲＣ＿ＣＯＮＮＥＣＴＥＤ状態にある。この状態においてＵＥは、サービング基地局に割り当てられ、ＳＲＢ１（Ｓｉｇｎａｌｌｉｎｇ  Ｒａｄｉｏ  Ｂｅａｒｅｒｓ  １）上のシグナルリングメッセージを使用して自由に通信できる。待機状態の場合、ＵＥは、ＲＲＣ＿ＩＤＬＥ状態にある。ＲＲＣ＿ＩＤＬＥ状態での移動性制御は、ＵＥにより行われるセル再選択（ｃｅｌｌ−ｒｅｓｅｌｅｃｔｉｏｎ）であることに比べて、ＲＲＣ＿ＣＯＮＮＥＣＴＥＤ状態での移動性制御は、Ｅ−ＵＴＲＡＮにより行われるハンドオーバである。
【００４１】
以下、移動性管理（ｍｏｂｉｌｉｔｙ  ｍａｎａｇｅｍｅｎｔ；ＭＭ）の概念とトラッキング領域ＴＡの概念とを詳細に説明する。アクセスネットワークにおいてＵＥに関連したすべての情報は、データが非活性化される期間の間に解除されることができる。このような状態をＥＣＭ−ＩＤＬＥ（ＥＰＳ  Ｃｏｎｎｅｃｔｉｏｎ  Ｍａｎａｇｅｍｅｎｔ  ＩＤＬＥ）状態と呼ぶことができる。ＭＭＥは、Ｉｄｌｅ区間の間にＵＥコンテキスト（ｃｏｎｔｅｘｔ）及び設定されたベアラに関連した情報を維持できる。
【００４２】
ネットワークがＥＣＭ−ＩＤＬＥ状態にあるＵＥに接触できるように、ＵＥは、現在のＴＡ（Ｔｒａｃｋｉｎｇ  Ａｒｅａ）から外れるときごとにネットワークに新しい位置に関して知らせることができる。このような手順は「Ｔｒａｃｋｉｎｇ  Ａｒｅａ  Ｕｐｄａｔｅ」と呼ばれることができ、この手順は、ＵＴＲＡＮ（ｕｎｉｖｅｒｓａｌ  ｔｅｒｒｅｓｔｒｉａｌ  ｒａｄｉｏ  ａｃｃｅｓｓ  ｎｅｔｗｏｒｋ）またはＧＥＲＡＮ（ＧＳＭ  ＥＤＧＥ  Ｒａｄｉｏ  Ａｃｃｅｓｓ  Ｎｅｔｗｏｒｋ）システムにおいて「Ｒｏｕｔｉｎｇ  Ａｒｅａ  Ｕｐｄａｔｅ」と呼ばれることができる。ＭＭＥは、ＵＥがＥＣＭ−ＩＤＬＥ状態にある間にユーザ位置を追跡する機能を行う。
【００４３】
ＥＣＭ−ＩＤＬＥ状態にあるＵＥに伝達しなければならないダウンリンクデータがある場合、ＭＭＥは、ＵＥが登録されたＴＡ（ｔｒａｃｋｉｎｇ  ａｒｅａ）上のすべての基地局（ｅＮｏｄｅＢ）にページングメッセージを送信する。その次に、基地局は、無線インターフェス（ｒａｄｉｏ  ｉｎｔｅｒｆａｃｅ）上にＵＥに対してページングを始める。ページングメッセージが受信されるにつれて、ＵＥの状態がＥＣＭ−ＣＯＮＮＥＣＴＥＤ状態に遷移するようにする手順を行う。このような手順は、「Ｓｅｒｖｉｃｅ  Ｒｅｑｕｅｓｔ  Ｐｒｏｃｅｄｕｒｅ」と呼ばれることができる。これにより、ＵＥに関連した情報は、Ｅ−ＵＴＲＡＮから生成され、すべてのベアラは、再設定（ｒｅ−ｅｓｔａｂｌｉｓｈ）される。ＭＭＥは、無線ベアラ（ｒａｄｉｏ  ｂｅａｒｅｒ）の再設定と、基地局上においてＵＥコンテキストを更新する役割を果たす。
【００４４】
上述した移動性管理（ＭＭ）手順が行われる場合、ＭＭ（ｍｏｂｉｌｉｔｙ  ｍａｎａｇｅｍｅｎｔ）バックオフタイマーがさらに使用されることができる。ＭＭバックオフタイマーに関連したタイム値が受信されるにつれて、ＵＥは、ネットワークにおいて付与したタイム値に応じてＭＭバックオフタイマーを活性化させることができる。現在の３ＧＰＰ規格によれば、ＭＭバックオフタイマーが駆動中である場合、ＵＥは、ネットワークでＴＡ更新（Ｔｒａｃｋｉｎｇ  Ａｒｅａ  Ｕｐｄａｔｅ）またはＲＡ更新（Ｒｏｕｔｉｎｇ  Ａｒｅａ  Ｕｐｄａｔｅ）手順を行うことができない。しかしながら、ＭＭバックオフタイマーが駆動する途中にも、仮に、ネットワークでＵＥのためのダウンリンクデータが発生する場合、ＵＥは、ページングメッセージを受信するので、ＵＥに対したページングは可能である。上述したように、ＵＥがページングメッセージに対応する場合、３ＧＰＰ規格に従って「Ｓｅｒｖｉｃｅ  Ｒｅｑｕｅｓｔ  Ｐｒｏｃｅｄｕｒｅ（サービス要請手順）」が行われることが求められる。
【００４５】
以下、ＩＳＲ（ｉｄｌｅ  ｍｏｄｅ  ｓｉｇｎａｌｌｉｎｇ  ｒｅｄｕｃｔｉｏｎ）機能の概念を説明する。ＩＳＲ機能は、ＵＥがＥ−ＵＴＲＡＮとＵＴＲＡＮ／ＧＥＲＡＮとの間のように、相異なアクセスネットワーク間に移動するとき、位置登録（すなわち、ｌｏｃａｔｉｏｎ  ｕｐｄａｔｅ／ｒｅｇｉｓｔｒａｔｉｏｎ  ｕｐｄａｔｅ）のためのシグナルリングを減少させることによって、ネットワークの資源を效率的に使用する機能である。ＵＥがＥ−ＵＴＲＡＮセルにキャンプオン（ｃａｍｐ−ｏｎ）する場合、ＵＥは、ＭＭＥに位置登録を行う。セルにキャンプオンをするということは、ＵＥがセル選択／再選択（ｃｅｌｌ  ｓｅｌｅｃｔｉｏｎ／ｒｅｓｅｌｅｃｔｉｏｎ）動作を完了し特定のセルを選択したとのことを意味する。一方、ＵＥは、ＵＴＲＡＮ／ＧＥＡＲＮセルに移動して、そのセルにキャンプオンを行い、ＳＧＳＮに位置登録を行うことができる。これにより、ＵＥがＵＴＲＡＮとＵＴＲＡＮ／ＧＥＲＡＮとの間で頻繁に位置登録を行う場合、ネットワーク資源の浪費になることができる。ネットワーク資源の浪費を防ぐために、ＩＳＲ機能が提案される。
【００４６】
ＩＳＲ機能によれば、ＵＥがＥ−ＵＴＲＡＮとＵＴＲＡＮ／ＧＥＲＡＮとを介してＭＭＥとＳＧＳＮ、すなわち２個の移動性管理（ｍｏｂｉｌｉｔｙ  ｍａｎａｇｅｍｅｎｔ）ノードの各々に位置登録を行った場合、アイドルモードのＵＥは、事前に登録されたＲＡＴ（Ｒａｄｉｏ  Ａｃｃｅｓｓ  Ｔｅｃｈｎｏｌｏｇｉｅｓ）間に移動する場合、またはセルを再選択する場合には、追加的な位置登録を行わない。仮に、ＩＳＲが活性化されており、アイドル状態である特定ＵＥに送信するダウンリンクデータがある場合、Ｅ−ＵＴＲＡＮとＵＴＲＡＮ／ＧＥＲＡＮとを介してページングが同時に伝達されることができる。これにより、ネットワークは、ＵＥを成功的に検索し、該当ＵＥにダウンリンクデータを伝達できる。
【００４７】
以下、「ＴＩＮ」の概念を説明する。ＵＥがネットワークに接続するとき、ネットワークはＵＥで一時識別情報（ｔｅｍｐｏｒａｒｙ  ｉｄｅｎｔｉｔｙ）を割り当てることができる。例えば、ＳＡＥシステムがＵＥにＧＵＴＩ（Ｇｌｏｂａｌ  Ｕｎｉｑｕｅ  Ｔｅｍｐｏｒａｒｙ  Ｉｄｅｎｔｉｔｙ）を割り当てる間に、２Ｇ／３Ｇネットワーク（例えば、ＧＥＲＡＮ／ＵＴＲＡＮ）は、Ｐ−ＴＭＳＩ（Ｐａｃｋｅｔ  Ｔｅｍｐｏｒａｒｙ  Ｍｏｂｉｌｅ  Ｓｕｂｓｃｒｉｂｅｒ  Ｉｄｅｎｔｉｔｙ）をＵＥに割り当てることができる。ＵＥは、互いに異なるネットワーク（例えば、ＧＥＲＡＮ／ＵＴＲＡＮ／Ｅ−ＵＴＲＡＮ）間において移動できるから、ＵＥが最初核心網ノードから新しい核心網ノードにハンドオーバする場合、速いハンドオーバのために、ＵＥのコンテキスト（ｃｏｎｔｅｘｔ）を獲得するように、最初の核心網ノードは、ＵＥの一時識別情報を使用して発見されなければならない。これにより、ＩＳＲ機能が用いられる場合、ＵＥは、ＴＩＮ（Ｔｅｍｐｏｒａｒｙ  Ｉｄｅｎｔｉｔｙ  ｕｓｅｄ  ｉｎ  Ｎｅｘｔ  ｕｐｄａｔｅ）情報を保有するようになり、ＴＩＮは、核心網との次回のシグナルリング（例えば、ＴＡＵまたはＲＡＵ）において使用される移動性管理コンテキスト（ｍｏｂｉｌｉｔｙ  ｍａｎａｇｅｍｅｎｔ  ｃｏｎｔｅｘｔ）の類型がどんなものであるかを指示するパラメーターである。ＴＩＮの可能な値は、ＧＵＴＩ（すなわち、ＭＭＥに知られたＵＥの識別情報）、Ｐ−ＴＭＳＩ（すなわち、ＳＧＳＮに知られたＵＥの識別情報）、または「ＲＡＴ  ｒｅｌａｔｅｄ  ＴＭＳＩ」であっても良い。例えば、ＴＩＮがＧＵＴＩと決定された場合、ＳＧＳＮは、ＲＡＵ要請と共にＧＵＴＩを受信する方式でＭＭＥからＵＥのコンテキストを取って（ｆｅｔｃｈ）くることができる。ＧＵＴＩは、ＳＧＳＮの本来の識別情報（ｎａｔｉｖｅ  ｉｄｅｎｔｉｆｉｃａｔｉｏｎ）ではないので、コンテキストの交換は、ＧＵＴＩを使用してＵＥのコンテキストを保有するＭＭＥの位置を探す方式により行われることができる。
【００４８】
図４は、ＴＩＮを使用してＩＳＲ活性化を行う過程を示す手順フローチャートである。ステップＳ４１０では、ＩＳＲが活性化されない場合、通常のアタッチ（ａｔｔａｃｈ）手順がＥ−ＵＴＲＡＮで行われる。それにより、ＵＥは、該当ＵＥのＴＩＮをＧＵＴＩに設定する。上述したように、ＴＩＮがＧＵＴＩに設定される場合、ＵＥは、以後のＴＡＵ過程やＲＡＵ過程においてＧＵＴＩを使用する。
【００４９】
ステップＳ４２０にて、ＵＥは、たとえアイドルモードに留まるが、ＧＥＲＡＮ／ＵＴＲＡＮを意図するアクセス方法（ｄｅｓｉｒｅｄ  ａｃｃｅｓｓ）で選択する。ＵＥは、ＴＩＮが指示したことに従って、ＧＵＴＩを使用してＳＧＳＮにＲＡＵ要請を送信する。具体的に、ＵＥは、ルーチング領域識別子（Ｒｏｕｔｉｎｇ  Ａｒｅａ  ＩＤ；ＲＡＩ）とＧＵＴＩからマッピングされたＰ−ＴＭＳＩを含むＲＡＵ要請をＳＧＳＮに送信する。
【００５０】
ステップＳ４３０にて、ＳＧＳＮは、該当ＵＥのコンテキストをＭＭＥから呼び出すことができ、ＭＭＥは、ＩＳＲ支援（ｓｕｐｐｏｒｔ）を表し、ＳＧＳＮは、ＭＭＥがＵＥのための接続を樹立したＳＧＷに接続できるかを決定する。ステップＳ４４０にてＨＳＳにＳＧＳＮが登録を行う。
【００５１】
ステップＳ４５０の場合、ＲＡＵ受諾メッセージ内には、ＩＳＲ活性化のための指示情報が含まれる。現行３ＧＰＰ規格によれば、ＵＥは、ＩＳＲ機能を活性化する場合にＴＩＮを「ＲＡＴ  ｒｅｌａｔｅｄ  ＴＭＳＩ」に設定するようになっている。仮に、ＴＩＮが「ＲＡＴ  ｒｅｌａｔｅｄ  ＴＭＳＩ」に設定される場合、次回のＴＡＵまたはＲＡＵ手順のためのＵＥの識別情報は、ＵＥが現在キャンプオン（ｃａｍｐ−ｏｎ）されているセルの類型によって決定される。すなわち、ＴＩＮが「ＲＡＴ  ｒｅｌａｔｅｄ  ＴＭＳＩ」の場合、ＵＥはＥ−ＵＴＲＡＮセルにキャンプオンされている場合にはＧＵＴＩを使用し、ＧＥＲＡＮ／ＵＴＲＡＮセルキャンプオンされている場合には、Ｐ−ＴＭＳＩを使用する。
【００５２】
以下、ＣＳフォールバック／回帰（ＣＳ−ｆａｌｌ  ｂａｃｋ）機能の概念について説明する。上述したように、３ＧＰＰ技術は、ＣＳ領域に関連した回線交換サービスのためのＣＳフォールバックを規定する。ＥＰＳ上においてＣＳフォールバックは、音声及び伝統的なＣＳ領域サービスを可能にし、ＬＴＥによりサービスの提供を受けるＵＥは、ＣＳ  ｉｎｆｒａｓｔｒｕｃｔｕｒｅを再度活用できる。ＣＳフォールバックの可能なＵＥがＵ−ＵＴＲＡＮに接続される場合、ＣＳ領域に接続するためにＧＥＲＡＮまたはＵＴＲＡＮを使用することができる。Ｅ−ＵＴＲＡＮ領域がＧＥＲＡＮやＵＴＲＡＮ領域に重なる場合、ＣＳフォールバック機能が使用されることができる。
【００５３】
図５は、ＣＳフォールバック機能が適用される参照構造を示すブロック図である。図５の参照構造は、ＶＬＲ（ｖｉｓｉｔｏｒ  ｌｏｃａｔｉｏｎ  ｒｅｇｉｓｔｅｒ）５１０、ＭＭＥ５２０、ＳＧＳＮ５３０、ＲＮＣ５４０、ｅＮＢ５５０を備える。図５に示すネットワーク要素／個体の間には、Ａ／Ｉｕ−ｃｓ、ＳＧｓ、及びＧｂ／Ｉｕ−ｐｓのような多様なインターフェスが定義される。
【００５４】
ＶＬＲ５１０は、ＣＳ通話を制御するためのＣＳ加入者データと、ＶＬＲにより制御される領域に現在位置している移動端末加入者のための移動性管理コンテキスト（ｍｏｂｉｌｉｔｙ  ｍａｎａｇｅｍｅｎｔ  ｃｏｎｔｅｘｔ）を含む。具体的に、ＶＬＲ５１０は、ＵＥのＣＳコンテキストを含む。ＶＬＲ５１０は、ＭＳＣ（ｍｏｂｉｌｅ  ｓｗｉｔｃｈｉｎｇ  ｃｅｎｔｅｒ）に含まれることができ、この場合、ＭＳＣ／ＶＬＲと呼ばれることができる。
【００５５】
Ｅ−ＵＴＲＡＮカバレッジ（ｃｏｖｅｒａｇｅ）上においてＣＳフォールバックが支援されるＵＥは、ＭＭＥ５２０とＶＬＲ５１０に登録されるので、ＣＳサービスやＰＳサービスのために、ＣＳページング（ｐａｇｉｎｇ）やＰＳページングによりそれぞれ呼び出されることができる。ＣＳページングは、ＶＬＲ５１０により開始され、ＰＳページングは、ＭＭＥ５２０により開始できる。たとえＭＭＥ５３０がＵＥのＰＳコンテキストを管理するネットワーク個体であるが、ＣＳページングは、ＶＬＲ５１０からＭＭＥ５３０へ伝達されることができる。ＣＳページングがｅＮＢ５５０に伝達される場合、ｅＮＢ５５０は、ＣＳページングが転送されるということを指示する指示子を含める方式でＵＥにページングを行う。ＣＳページングに対応して、ＵＥは、ＭＭＥ５２０に拡張サービス要請手順（ｅｘｔｅｎｄｅｄ  ｓｅｒｖｉｃｅ  ｒｅｑｕｅｓｔ  ｐｒｏｃｅｄｕｒｅ）を開始する。この場合、ＭＭＥ５２０は、ＵＥの動作がＣＳ領域に許諾されうるかどうかを決定して、ｅＮＢ５５０にとってＰＳハンドオーバまたはＣＳ領域への再指示（ｒｅｄｉｒｅｃｔｉｏｎ）を行う等の追加手順を行うようにすることができる。最終的に、ＵＥは、ＣＳ音声電話のように、ＣＳサービスを完了した以後、Ｅ−ＵＴＲＡＮへ再度移動する。
【００５６】
上述したように、ＭＭＥ５２０及びＶＬＲ５１０に登録されており、ＣＳフォールバックが可能なＵＥは、ＣＳページングによりＥ−ＵＴＲＡＮのカバレッジからＧＥＲＡＮ／ＵＴＲＡＮのカバレッジに進入できる。しかしながら、ＵＥは、ＣＳページングがない場合でも、Ｅ−ＵＴＲＡＮのカバレッジから外れる場合などには、ＧＥＲＡＮ／ＵＴＲＡＮのカバレッジに進入できる。この場合、仮にＩＳＲ機能が駆動されない場合、ＵＥは、ＰＳ領域へＲＡＵ手順を行うことができる。また、ＵＥは、ＧＥＲＡＮ／ＵＴＲＡＮセルのＬＡＩ（Ｌｏｃａｔｉｏｎ  Ａｒｅａ  Ｉｄｅｎｔｉｔｙ）がＥ−ＴＲＵＡＮ上において従来に登録したものと不一致する場合、ＶＬＲでのＵＥの位置を更新するために、ＬＡＵ（ｌｏｃａｔｉｏｎ  ａｒｅａ  ｕｐｄａｔｅ）を行うことができる。ＲＡＵ手順は、位置更新を目的としてＰＳ領域上において行われる手順であることに対し、ＬＡＵ手順は、ＣＳ領域に関連した手順である。一般に、ＣＳ領域のためのＬＡ（ｌｏｃａｔｉｏｎ  ａｒｅａ）のカバレッジは、ＲＡ（ｒｏｕｔｉｎｇ  ａｒｅａ）やＴＡ（Ｔｒａｃｋｉｎｇ  Ａｒｅａ）カバレッジに比べて大きい。
【００５７】
ＬＡＵを行うために、ＬＡコードは放送チャネルを介して受信されなければならない。ＬＡコードは、既にＵＥに知られたＰＬＭＮ−ＩＤと結合され、これにより、ＵＥは、放送チャネルを検査してＬＡコードを検出できる。ＰＬＭＮ−ＩＤとＬＡコードとを含むＩＤ（ｉｄｅｎｔｉｆｉｃａｔｉｏｎ）情報は、ＬＡＩ（ＬＡ  ｉｄｅｎｔｉｆｉｃａｔｉｏｎ）と呼ばれることができる。
【００５８】
ＣＳフォールバックが可能なＵＥは、過去にＶＬＲ５１０に登録する当時に既に以前のＬＡＩが与えられている可能性もあるので、ＧＥＲＡＮ／ＵＴＲＡＮカバレッジに進入する場合、以前のＬＡＩを既に持っていることができる。現在の３ＧＰＰ規格によれば、仮にＵＥが以前と異なるＬＡＩを受信する場合、ＵＥは、新しいネットワークでＬＡＵを行うようになっている。そうでない場合には、ＬＡＵを行わない。一方、Ｅ−ＵＴＲＡＮからＧＥＲＡＮ／ＵＴＲＡＮセルへ移動する場合、同じＬＡ上に位置することもできる。この場合、ＴＩＮがＧＵＴＩを指示する場合、ＵＥは、ＳＧＳＮ５３０でＲＡＵのみを行い、ＶＬＲ５１０部はＬＡＵを行わない。ＲＡＵ手順は、ＵＥのためのＩＳＲ機能を駆動させても良く、駆動させなくても良い。ＵＥがＧＥＲＡＮ／ＵＴＲＡＮへ移動したという事実がＶＬＲ５１０に通知されないときもありうるので、ＣＡ通話が到着する場合、ＶＬＲ５１０は、依然としてＭＭＥ５２０へページングを行うことを要請できる。仮に、ＩＳＲが駆動されない場合、ＭＭＥは、ＶＬＲ５１０にＵＥがＭＭＥの制御する領域から外れたことを知らせ、これによりＶＬＲ５１０は、同じＬＡ上に位置するＧＥＲＡＮ／ＵＴＲＡＮセルでＣＳページングを行わなければならない。仮に、ＩＳＲが駆動中であると、ＭＭＥ５２０は、Ｅ−ＵＴＲＡＮでＣＳページングを行い、ＵＴＲＡＮ／ＧＥＲＡＮ上においてＣＳページングが同時に行われるように、ＳＧＳＮ５３０に通知する。
【００５９】
上述したＭＭバックオフタイマーは、二つの核心網領域（ｃｏｒｅ  ｎｅｔｗｏｒｋ  ｄｏｍａｉｎｓ）のためにシグナルリングされることができ、すなわちＰＳバックオフタイマーとＣＳバックオフタイマーとが決まることができる。また、ＣＳ  ＭＭバックオフタイマーが駆動される途中には、ＵＥがＬＡＵを行うことができなく、ＰＳ  ＭＭバックオフタイマーが駆動される途中にはＵＥがＲＡＵやＴＡＵを行うことができない。
【００６０】
図５に示す通信システムは、ＣＳページングが開始される場合、ＵＥが接近不可能（ｕｎｒｅａｃｈａｂｌｅ）になる問題が発生できる。具体的に、ＣＳフォールバックが可能なＵＥが結合登録（すなわち、ＰＳ及びＣＳに全部登録）される手順が完了したが、ＣＳページングはまだ受信されない場合に問題が発生できる。ＩＳＲ機能が活性化されないＵＥのためには、ＰＳ  ＭＭバックオフ時間値が受信されることができ、これにより、ＧＥＲＡＮ／ＵＴＲＡＮへ移動する場合、ＲＡＮ手順を行う以前にＰＳ  ＭＭバックオフタイマーが始まることができる。上述した状況でＵＥがＬＴＥセルにキャンプ−オン（ｃａｍｐ−ｏｎ）されており、最終的にＣＳページングを受ける場合には、ＵＥが登録されたＭＭＥでＣＳページングを管理するので、技術的問題が発生しない場合もある。しかし、上述した状況で、ＰＳ  ＭＭバックオフタイマーが駆動中にＧＥＲＡＮ／ＵＴＲＡＮセルにキャンプ−オン（ｃａｍｐ−ｏｎ）されており、最終的にＶＬＲからＵＳへ伝達される通話が受信される場合、ＵＥは、ＰＳ  ＭＭバックオフタイマーによってＲＡＵ手順を行うことができず、ＭＭＥは、ＵＥの登録された位置に対する更新された情報がないために、上述した技術的問題が発生できる。
【００６１】
上述した問題は、単純にＰＳ  ＭＭバックオフタイマーを操作することでは解決できない。具体的に、ＧＥＲＡＮ／ＵＴＲＡＮセルのＬＡがＵＥがＥ−ＵＴＲＡＮ上において登録されたものと異なる場合、ＵＥは、ＣＳページングを行うことができ、仮にＬＡＵが成功的に行われる場合、ＣＳページングは、ＲＮページングは成功的に伝達されることができる。しかしながら、ＵＥが従来と同じＬＡＩを有している状況でＰＳ  ＭＭバックオフによってＲＡＵを適切に行うことができない場合、ＬＡＵ試みは制限され、ＵＥの位置更新はＲＡＵ手順のみで行われるので、上述した問題は依然として存在する。
【００６２】
上述した技術的問題を解決する第１の実施形態は以下の通りである。具体的に、第１の実施形態は、特定の状況でＬＡＵを行うことを提案する。第１の実施形態は、ＩＳＲ機能が駆動されない状況で従来と新しいＬＡＩとが同一で、ＰＳ  ＭＭバックオフタイマー（すなわち、Ｔ３３４６）が駆動する場合に適用されることができる。この場合、第１の実施形態は、ＬＡＵ動作を行うことを提案し、これによって更新されたＵＥ情報がＬＡＵ動作を介してＶＬＲに伝達されることができる。
【００６３】
言い換えれば、第１の実施形態は、１）ＵＥがＩＳＲが非駆動の状況でＬＴＥ上において結合ＴＡＵを成功的に行い、２）その次にＵＥがさらに他のＴＡＵやＲＲＣ接続要請手順を行ったが、Ｔ３３４６時間値と共に拒絶され、３）ＵＥがＬＴＥカバレッジから同じＬＡに属する２Ｇ／３Ｇ領域に進入し、４）ＵＥがＴ３３４６によりＲＡＵ手順を行うことができない場合に適用されることができる。第１の実施形態の技術的特徴は、Ｓ１モード（ＬＴＥ）でＡ／ＧｂまたはＩｕモード（２Ｇ／３Ｇ）モードで再選択などを行う途中に、Ｔ３３４６が駆動中であり、ＵＥが２Ｇ／３Ｇ上においてＣＳページングをモニターリングする場合、再選択以後にＬＡが変更されない場合にもＬＡＵ手順を行うようにする特徴がある。
【００６４】
第１の実施形態は、ＩＳＲが駆動されない場合に適用されることができる。しかしながら、本明細書は、ＩＳＲが駆動される場合にも適用される第２の実施形態をさらに提案する。
【００６５】
図６は、第２の実施形態が適用される場合を説明する。仮に、ＵＥがＩＳＲ機能が駆動されるＴＡ６１０とＲＡ６２０との間に移動する場合、上述した問題は発生しないときがある。具体的に、ＴＡ６１０とＲＡ６２０に対してＩＳＲ機能が行われる場合、ＴＡ６１０とＲＡ６２０に関連したＭＭＥとＳＧＳＮとは、ＵＥコンテキストを維持できる。これにより、ＶＬＲでＣＳページングが開始されても、該当ページングは、ＶＬＲからＭＭＥを介してＳＧＳＮに伝達されるので、ＲＮＣを介してＵＥはページングを受けることができる。
【００６６】
しかしながら、ＴＡ６１０とＲＡ６２０に対してＩＳＲ機能が行われる状況で、仮にＴＡ６１０からＲＡ６３０に移動する場合、上述したＣＳページングイッシューは依然として発生できる。ＭＭＥがＲＡ２６３０の代わりをしてＲＡ１６２０に対してページングを要請できるためである。これにより、第２の実施形態は仮に従来と新しいＬＡＩが同一で、ＰＳ  ＭＭバックオフタイマーが駆動中である場合にＬＡＵ動作が行われるとき、ＩＳＲ機能は非活性化されるように要求しなくても良い。
【００６７】
図７は、いくつかの実施形態を結合した方法を示す。図７に示す方法は、Ｅ−ＵＴＲＡＮ側にＰＳ領域を制御するＭＭＥとＣＳ領域を制御するＶＬＲの含まれた一例に関連する。
【００６８】
図７のステップＳ７１０に従って、ＣＳフォールバックが可能なＵＥは、結合ＴＡＵ（ｃｏｍｂｉｎｅｄ  ＴＡＵ）をＥ−ＵＴＲＡＮで行い、ＵＥの位置情報がＭＭＥ及びＶＬＲに登録されるようにする。言い換えれば、ＰＳ領域及びＣＳ領域でＵＥの位置が更新される。
【００６９】
ステップＳ７２０に従って、ＵＥは、ＰＳ  ＭＭバックオフ時間値をＥ−ＵＴＲＡＮから受信する。ＰＳ  ＭＭバックオフ時間値は、ＲＲＣ接続解除、ＲＲＣ接続拒絶、ＲＡＵ拒絶、及び／またはＴＡＵ拒絶メッセージのような多様なメッセージに含まれることができる。
【００７０】
ステップＳ７３０の場合、ＰＳ  ＭＭバックオフ時間値が受信されるにつれて、ＵＥは、ＰＳ  ＭＭバックオフタイマーを開始する。上述したように、ＰＳ  ＭＭバックオフタイマーが駆動される途中には、追加的なＲＡＵ手順が遮断される。
【００７１】
ステップＳ７４０の場合、同じＬＡに属するＥ−ＵＴＲＡＮセルからＧＥＲＡＮ／ＵＴＲＡＮセルに進入する場合、ＰＳ  ＭＭバックオフタイマーが駆動中であれば、ＵＥはＬＡＵを開始する。
【００７２】
すなわち、図７の一例は、１）ＵＥがＩＳＲが駆動中であるか、非−駆動である状況において、ＬＴＥ上において結合ＴＡＵを成功的に行い、２）その次のＵＥがさらに他のＴＡＵやＲＲＣ接続要請手順を行ったがＴ３３４６時間値と共に拒絶され、３）ＵＥがＬＴＥカバレッジから同じＬＡに属する２Ｇ／３Ｇ領域に進入し、４）ＵＥがＴ３３４６によりＲＡＵ手順を行うことができない場合に適用されることができる。第１の実施形態及び第２の実施形態は、ＵＥがＳ１モード（ＬＴＥ）でＡ／ＧｂまたはＩｕモード（２Ｇ／３Ｇ）モードに再選択などを行う途中に、Ｔ３３４６が駆動中であり、ＵＥが２Ｇ／３Ｇ上においてＣＳページングをモニターリングする場合、ＬＡＵ手順を行うようにする特徴がある。また、ＬＡＵ手順を開始する条件は、ＩＳＲが非活性化され、ＴＩＮがＧＵＴＩに設定される場合により限定的に定義されることができる。さらに、ＬＡＵ手順が開始される条件は、ＵＥに対してＩＳＲが活性化され、ＴＩＮが「ＲＡＴ  ｒｅｌａｔｅｄ  ＴＭＳＩ」に設定され、従来に登録されたものとは異なる無線アクセス網に移動する場合に定義されることができる。
【００７３】
また、上述したＬＡＵ手順開始条件はさらに変形されることができる。具体的に、図７は、ＵＥがＴ３３４６が駆動中であるからＭＭ手順を行うことができない場合に関連する。しかしながら、上述した技術的一例は、アクセスバーリング（ａｃｃｅｓｓ  ｂａｒｒｉｎｇ）またはｅｎｈａｎｃｅｄアクセスバーリングによりＰＳ領域へのＭＯ（ｍｏｂｉｌｅ  ｏｒｉｇｉｎａｔｅｄ）シグナルリングが遮断された場合にも適用されることができる。３ＧＰＰ規格で多様なアクセスバーリングが適用されることができる。具体的に、ランダムアクセス手順は、アクセスクラス（ａｃｃｅｓｓ  ｃｌａｓｓ）バーリングにより遮断されることができる。特定の類型のＵＥのために、ＵＥがＭＯ通話やＭＯシグナルリングを開始する場合、ＵＥは乱数を選択する。選択された乱数が確率変数より小さな場合、アクセスは遮断されない。そうでない場合、アクセスは遮断され、放送チャネルを介して与えられた値からランダムに選択された時間区間の間に接続が遮断される。ｅｎｈａｎｃｅｄアクセスバーリングは、ローミングに関連し、従来の機能をさらに拡張する。具体的に、ネットワークに混雑が発生する場合、ローミングを介して接続しようとするＵＥの接続をさらに遮断できる。
【００７４】
ＰＳ領域のためのＭＯ（ｍｏｂｉｌｅ  ｏｒｉｇｉｎａｔｅｄ）シグナルリングがアクセスバーリングまたはｅｎｈａｎｃｅｄアクセスバーリングにより遮断される場合、上述した問題が発生できる。これにより、アクセスバーリングやｅｎｈａｎｃｅｄアクセスバーリングによりＰＳ領域でＭＭ手順を行うことができないＵＥに対して、上述した技術的特徴が適用されることができる。
【００７５】
本明細書の第３の実施形態は、ＣＳ非常電話とＣＳページングに関連する。ＵＥは、ＰＳＡＰ（Ｐｕｂｌｉｃ  Ｓａｆｅｔｙ  Ａｎｓｗｅｒｉｎｇ  Ｐｏｉｎｔ）と非常電話接続を設定できる。ＰＳＡＰは、非常電話に対する応答責任を負うコールセンターであって、警察、消防署、救急車のような非常サービスに関連する。非常電話は、ＣＳまたはＰＳ領域で設定されることができる。
【００７６】
一般に、ＰＳ領域でのＵＥはＰＳ非常電話を開始するが、ＣＳ非常電話を開始する場合も明確に存在する。例えば、Ｅ−ＵＴＲＡＮがＳ１モードで非常ベアラサービス（ｅｍｅｒｇｅｎｃｙ  ｂｅａｒｅｒ  ｓｅｒｖｉｃｅｓ）を支援できない場合、ＵＥはＣＳ領域を使用して非常電話を設定するためにＧＥＲＡＮ／ＵＴＲＡＮに対する接続を試みることができる。
【００７７】
ＰＳ／ＣＳ通話が完了した場合、ＵＥのためのＲＲＣ接続は、Ｅ−ＵＴＲＡＮではＴ３２０タイマーと共に解除され、ＵＴＲＡＮではＴ３２２タイマー、ＧＥＲＡＮではＴ３２３０タイマーと共に解除される。Ｅ−ＵＴＲＡＮにおいてＲＲＣ接続解除メッセージは、「ｉｄｌｅＭｏｄｅＭｏｂｉｌｉｔｙＣｏｎｔｒｏｌＩｎｆｏ」フィールドを含むが、これはセル−再選択優先順位情報を含む。同様に、専属再選択優先順位がＵＴＲＡＮ／ＧＥＲＡＮでシグナルリングされることができる。セル−再選択優先順位情報は、後の接続において無線接続ネットワークの優先順位を示す。Ｔ３２０、Ｔ３２２、Ｔ３２３０は、セル−再選択優先順位情報のために使用される。具体的に、「ｉｄｌｅＭｏｄｅＭｏｂｉｌｉｔｙＣｏｎｔｒｏｌＩｎｆｏ」フィールドは、Ｔ３２０タイマーが駆動中に有効なものとして取り扱われる。タイマーが満了すると、ＵＥは放送チャネルを検査して、後の接続にどんな類型の無線接続ネットワーク（例えば、ＬＴＥ、２Ｇ、３Ｇ）が高い優先順位を有するかを検査する。
【００７８】
図８は、ＲＲＣ接続解除メッセージに含まれたセル−再選択優先順位が適用される手順を示す。図８のＳ８１０のように、非常電話のためのＵＥのＲＲＣ接続は解除され、「ｉｄｌｅＭｏｄｅＭｏｂｉｌｉｔｙＣｏｎｔｒｏｌＩｎｆｏ」情報が受信されることができる。タイマーＴ３２０がＲＲＣ接続解除メッセージに含まれるために、「ｉｄｌｅＭｏｄｅＭｏｂｉｌｉｔｙＣｏｎｔｒｏｌＩｎｆｏ」のセル−再選択優先順位は、Ｔ３２０タイマーが駆動中である間には適用されることができる。ステップＳ８２０にて、ＵＥは、ＧＥＲＡＮ／ＵＴＲＡＮに非常電話を開始できる。非常電話が設立された以後、ステップＳ８３０にて該当非常電話に対するＲＲＣ接続が解除され、新しいＲＲＣ接続解除メッセージには、専属再選択優先順位が含まれないときもある。この場合、８４０時間区間の間には、従来にＬＴＥに提供された「ｉｄｌｅＭｏｄｅＭｏｂｉｌｉｔｙＣｏｎｔｒｏｌＩｎｆｏ」フィールドの情報が適用される。Ｔ３２０が満了した以後、ＵＥはシステム情報（ｓｙｓｔｅｍ  ｉｎｆｏｒｍａｔｉｏｎ）上において放送される優先順位を受信して、これを適用できる。
【００７９】
ＰＳＡＰへの非常電話は、多様な理由で通話が断絶されることができる。この場合、ＰＳＡＰは、該当ＵＥに非常電話を再度試みる（これを「非常コール−バック」と表示する）。例えば、ＭＭＥとＶＬＲで結合ＴＡＵを行ったＵＥから開始されたＣＳ非常電話が断絶されることができる。仮に、ＵＥがＧＥＲＡＮ／ＵＴＲＡＮにＲＡＵを行っておらず、同じＬＡに位置しながらＣＳ非常電話以後Ｅ−ＵＴＲＡＮへ復帰した場合、ＶＬＲ上に格納されたＵＥの従来情報は正確で、「非常コール−バック」のためのＣＳページングは、ＶＬＲにより適切に制御されることができる。これにより、ＰＳＡＰから最初ＵＥに対した「非常コール−バック」は、ＶＬＲにより適切に制御されることができる。
【００８０】
しかしながら、図９のような場合には、ＣＳページングを制御するのに問題が発生できる。図９は、セル−再選択優先順位情報とＣＳ非常コール−バックとを制御する手順を示す。図９に提示された順序は変更できる。図９のステップＳ９１０にて、ＭＭバックオフタイマーＴ３３４６は、多様な理由（例えば、ネットワーク混雑によるＲＲＣ接続拒絶の発生）によって、ＵＥとＭＭＥとの間で駆動中でありうる。これにより、ステップＳ９２０ないしＳ９３０では、ＵＥはＬＡＵ手順を行ってＣＳ非常電話を開始できる。しかしながら、ステップＳ９４０に示すように、非常電話は断絶されることができ、ＵＥは、最も高い優先順位の無線接続網としてＥ−ＵＴＲＡＮを持っていることができる。
【００８１】
仮に、専属再選択優先順位Ｔ３２０タイマー値と共にＣＳ非常電話以前にＥ−ＵＴＲＡＮ上において従来のＲＲＣ接続解除から受信された情報である）がＥ−ＵＴＲＡＮを最優先順位に指定した場合、ＵＥに非常コール−バックが伝達されないという問題が存在する。これは、ＵＥは２Ｇ／３Ｇ領域ではＬＡＵを行うが、Ｔ３３４６タイマーが満了する以前にＥ−ＵＴＲＡＮに再選択を介して復帰する場合、結合ＴＡＵを行うことができないためである。これにより、ＵＥがＬＡＵ手順（Ｓ９２０）によりＧＥＲＡＮ／ＵＴＲＡＮに進入したという不正確な情報を持っているＶＬＲは、「非常コール−バック」のためのＣＳページングを適切に行うことができない。
【００８２】
したがって、本明細書の第３の実施形態は、上述した状況でＬＴＥ機能（すなわち、Ｅ−ＵＴＲＡ）機能を非活性化させることを提案する。言い換えれば、第３の実施形態は、ＵＥが非常コール−バック以後に結合ＴＡＵを行うことができない場合に適用される。このような場合は、１）ＵＥがＬＴＥで結合ＴＡＵを成功的に行い、２）ＵＥがさらに他のＴＡＵまたはＲＲＣ接続要請を行ったが、Ｔ３３４６と共に拒絶され、「ＩｄｅｌＭｏｄｅＭｏｂｉｌｉｔｙＣｏｎｔｒｏｌＩｎｆｏ」フィールドがＬＴＥを最も高い優先順位に指定しながらＴ３２０を提供し、３）ＵＥが非常通話を行い、該当通話の以前／以後にＬＡＵを行い、４）Ｔ３２０及びＴ３３４６が依然として駆動中である状況で非常電話が終わり、同一または相異なるＴＡのＬＴＥセルに復帰する場合を含む。
【００８３】
上述した問題は、Ｅ−ＵＴＲＡＮに再選択する代わりに、ＣＳ非常電話以後にＧＥＲＡＮ／ＵＴＲＡＮにとどまるように強制する方式により解決できる。すなわち、ＬＴＥ機能は非活性化され、ＲＲＣ再選択優先順位は、ＵＥにより無視されることである。
【００８４】
図１０は、非常ＣＳコール−バック以後に結合ＴＡＵを行うことができないＵＥが存在する場合、ＬＴＥ機能を無視する手順を示す。ステップＳ１０１０では、ＭＭＥ及びＶＬＲで結合ＴＡＵを行う。ステップＳ１０２０では、ＵＥは、２Ｇ／３Ｇに比較してＬＴＥを最優先に指定した情報を受信する。ＬＴＥ再選択に対する優先順位情報は、ＲＲＣ解除メッセージの「ｉｄｌｅＭｏｄｅＭｏｂｉｌｉｔｙＣｏｎｔｒｏｌＩｎｆｏ」フィールドに含まれることができる。このような情報は、Ｔ３２０タイマーと共にＵＥに伝達されることができる。ステップＳ１０３０ないしＳ１０４０にてＵＥは、ＬＴＥからＣＳページングを受信することができるかどうかを判断し、ＵＥがＬＴＥからＣＳページングを受信することができないと判断される場合、ＵＥは、ＣＳ非常電話設立の以前または以後にＬＴＥ機能を非活性化させる。
【００８５】
図１１は、上述した一例が適用される無線装置の一例を示す。このような装置は、ＵＥの一部として具現化されることができ、また核心網（ＣＮ）個体の一部として具現化されることができる。無線装置１０００は、プロセッサ１０１０、メモリ１０２０、ＲＦ（ｒａｄｉｏ  ｆｒｅｑｕｅｎｃｙ）ユニット１０３０を備えることができる。
【００８６】
プロセッサ１０１０は、上述した機能、手順、方法を具現化するように設定されることができる。無線インターフェスプロトコル（ｒａｄｉｏ  ｉｎｔｅｒｆａｃｅ  ｐｒｏｔｏｃｏｌ）の階層（ｌａｙｅｒ）は、プロセッサ１０１０に具現化されることができる。プロセッサ１０１０は、上述した多数の機能を具現化できる。メモリ１０２０は、プロセッサ１０１０に動作的に接続され、ＲＦユニット１０３０は、プロセッサ１０１０に動作的に接続されることができる。
【００８７】
プロセッサ１０１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路及び／またはデータ処理装置を備えることができる。メモリ１０２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部１０３０は、無線信号を処理するためのベースバンド回路を含むことができる。実施形態がソフトウェアにより具現化される時、上述した技法は、上述した機能を行うモジュール（過程、機能など）により具現化されることができる。モジュールは、メモリ１０２０に格納され、プロセッサ１０１０により実行されることができる。メモリ１０２０は、プロセッサ１０１０の内部または外部にあることができ、広く知られた多様な手段でプロセッサ１０１０と接続されることができる。
【００８８】
上述した一例に基づいて本明細書にかかる多様な技法が図面と図面符号にて説明された。説明の便宜のために、各技法は、特定の順序に従って多数のステップやブロックを説明したが、このようなステップやブロックの具体的順序は、請求項に記載された発明を制限するものではなく、各ステップやブロックは、他の順序により具現化されるか、さらに他のステップやブロックと同時に行われることが可能である。また、通常の技術者であれば、各ステップやブロックが限定的に述べられたものではなく、発明の保護範囲に影響を与えない範囲内で少なくとも一つの他のステップが追加または削除されうることを理解できるはずである。
【００８９】
上述した実施形態は、多様な一例を含む。通常の技術者であれば、発明のすべての可能な一例の組み合わせが説明されることができないという点を理解するはずであり、また本明細書の技術から多様な組み合わせが生じうるという点を理解するはずである。よって、本発明の保護範囲は、以下の請求項に記載された範囲から逸脱しない範囲内で、詳細な説明に記載された多様な一例を組み合わせて判断しなければならないはずである。
【図１】
0006055066.tif 000002
【図２】
0006055066.tif 000003
【図３】
0006055066.tif 000004
【図４】
0006055066.tif 000005
【図５】
0006055066.tif 000006
【図６】
0006055066.tif 000007
【図７】
0006055066.tif 000008
【図８】
0006055066.tif 000009
【図９】
0006055066.tif 000010
【図１０】
0006055066.tif 000011
【図１１】
0006055066.tif 000012